(57)【特許請求の範囲】
【請求項１】
上面の中央部を開口し床面から所定高さまで堅牢に組枠したベッドのフレームと、当該開口したフレーム上面の高さまで空気を入れて膨らませた空気膜マットと、当該空気膜マット内の空気を所定地震動が生じたときに放出する排気装置を設けたことを特徴とする防災ベッド。
【請求項２】
上記排気装置は、上記空気膜マットに設けた空気放出用のノズルと、当該ノズルを閉塞する弁体と、当該弁体を所定地震動の揺動で開動させる開動具とで形成したことを特徴とする請求項１記載の防災ベッド。
【請求項３】
上記排気装置は、所定地震動の揺動で上記空気膜マットに衝突し当該空気膜マットの一部を破壊する開口具で形成したことを特徴とする請求項１記載の防災ベッド。
【発明の詳細な説明】
【０００１】
【産業上の利用分野】
この発明は、平常時にはベッド本来の目的に快適に使用し、地震時には倒壊した家屋の上階や転倒した家具に下敷きされない防災用のベッドに関するものである。
【０００２】
【従来の技術】
睡眠中に大きな地震が発生し、倒壊した家屋の上階や屋根、或は転倒した戸棚などの家具に下敷きされて死傷したり、下敷きされて逃げ出せず併発火災の被害を受ける事故が発生している。
【０００３】
このような事故に備え、周囲に鉄パイプ等で堅牢に形成した保護ケージを被せ設けたベッドが考えられている。
【０００４】
【発明が解決しようとする課題】
しかし、この保護ケージを設けたベッドは、地震時の事故防止に有効ではあるが、平常時の使用においては、保護ケージが室内行動の邪魔になったり、周囲に設けた保護ケージの圧迫感から快適さが損なわれたり、更にそのベッドの設置には広いスペースを必要とした。
【０００５】
この発明は、平常時にはベッド本来の目的に快適に使用し、非常時の大きな地震が襲ってきたときには、地震で倒壊した上階や屋根、或は家具の下敷きから睡眠者を護る機能を有する防災ベッドを提供するものである。
【０００６】
【課題を解決するための手段】
この発明に係る防災ベッドは、上面の中央部を開口し床面から所定高さまで堅牢に組枠したベッドのフレームと、その開口したフレーム上面の高さまで空気を入れて膨らませた空気膜マットと、その空気膜マット内の空気を所定地震動が生じたときに放出する排気装置を設けてなり、家屋の上階や屋根が倒壊したり、家具が転倒するような大きな地震の所定地震動が襲ってきた時には、排気装置で空気膜マット内の空気を放出して睡眠者を開口したフレームの中央部を通して降ろし、堅牢に組枠したベッドのフレームで倒壊した家屋や転倒した家具等を支えて、睡眠者を下敷きから保護するように形成したものである。
【０００７】
また、上記排気装置を、空気膜マットに設けた空気放出用のノズルと、そのノズルを閉塞する弁体と、その弁体を所定地震動の揺動で開動させる開動具とで形成し、家屋の上階や屋根が倒壊したり、家具が転倒するような大きな地震の所定地震動が襲ってきたときには、開動具が作動しノズルを閉塞していた弁体を開動して空気膜マット内の空気を放出するように形成したものである。
【０００８】
また、上記排気装置を、所定地震動の揺動で空気膜マットに衝突してその一部を破壊する開口具で形成し、家屋の上階や屋根が倒壊したり、家具が転倒するような大きな地震の所定地震動が襲ってきたときには、開口具が衝突して空気膜マットの一部を破壊し、その破壊部から空気膜マット内の空気を放出するように形成したものである。
【０００９】
【作用】
この発明に係る防災ベッドは、睡眠者の横たわる上面の中央部を開口し、かつ床面から睡眠者を収容できる所定高さまで堅牢に組枠したベッドのフレームと、その開口したフレーム上面の高さまで空気を入れて膨らませた空気膜マットと、その空気膜マット内の空気を所定地震動が生じたときに放出する排気装置を設けているので、ベッド上を保護ケージのような覆うものがないため圧迫感がなく、保護ケージを設けたベッドのようにその設置に広い室内スペースを必要とせず、更にフレーム内側の上面高さまで膨らませた空気膜マットが快適な睡眠に役立つため、平常時にはベッド本来の目的に優れた機能を有し、大きな地震の所定地震動が襲ってきた非常時には、排気装置で空気膜マット内の空気を放出し、睡眠者を開口したフレーム上面中央部を通してフレーム内へ降ろし、収容した睡眠者より高い所定高さに上面を設けて堅牢に組枠したベッドのフレームが地震で倒壊した家屋の上階や屋根、或は転倒した家具を支えるため、睡眠者の下敷きを防げる。
【００１０】
空気膜マットに設けた空気放出用のノズルと、そのノズルを閉塞する弁体と、その弁体を所定地震動の揺動で開動させる開動具からなる排気装置を形成した防災ベッドにおいては、弁体の開動具の調整によって、その開道具が作動する地震動の大きさをセットすることができるため、家屋の丈夫さや家具の設置状況に対応して開動具が作動する地震動の大きさを自由に選択してセットすることができるとともに、定期的な作動点検をすることができる。
【００１１】
所定地震動の揺動で空気膜マットに衝突し、その一部を破壊する開口具で排気装置を形成した防災ベッドは、排気装置を簡単な構造で安価に形成できるため普及しやすい非常時用の構造に適したものである。
【００１２】
【実施例】
本発明の実施例を図面に基づいて説明する。
図面中、１はベッドのフレームで、マットレス８や布団９等を用いて睡眠者１０が横たわる上面１Ｕはその中央部を開口した長方形状とし、かつその上面１Ｕの下部に睡眠者１０を収容できるるとともに這って移動できる高さの所定高さが確保できるように床１１に向けて脚１Ｌを延出するとともに斜材１Ｓ等を取付けて形鋼や鋼管材等で堅牢に組枠して形成する。
【００１３】
その上面１Ｕの中央部を開口したフレーム１の内部には、フレーム１の上面１Ｕ高さまで給気口１２から空気を入れて膨らませた空気膜マット２を設け、その空気膜マット２の上に柔らかいマットレス８等を敷き、布団９や枕等を用いて睡眠者１０が横たわれるように形成する。
【００１４】
その空気膜マット２は、ナイロンやビニールの合成樹脂膜材等で気密状の袋体に形成し、その袋体には、空気を内部に入れるとともに入れた空気の流出を止める弁を設けた給気口１２を取付け、図３及至図６にその構造例を示したような排気装置３を設け、家屋の上階や屋根が倒壊したり、家具の戸棚等が転倒するような大きな地震の所定地震動が襲ってきたときには空気膜マット２内の空気を放出するように形成する。
【００１５】
叙述のようにベッドのフレーム１、空気膜マット２及び排気装置３を設けた防災ベッドは、ベッド上を保護ケージのような覆うものがないため圧迫感がなく、保護ケージを設けたベッドのようにその設置にひろい室内スペースを必要とせず、フレーム１内側の上面１Ｕ高さまで膨らませた空気膜マット２が快適な睡眠に役立つため、平常時にはベッド本来の目的に優れた機能を有する。
【００１６】
また、この防災ベッドは、家屋の上階や屋根が倒壊したり、戸棚等の家具が転倒するような大きな地震の所定地震動が襲ってきた非常時には、空気膜マット２内の空気を排気装置３で放出して空気膜マット２を収縮させ、睡眠者１０を開口した上面１Ｕの中央部を通して堅牢に組枠したベッドのフレーム１内へ降ろして収容するとともに、地震で倒壊した家屋の上階や屋根、或は転倒した家具は堅牢に組枠したベッドのフレーム１が支えるので、フレーム１内に収容された睡眠者１０の下敷きが防げ、睡眠者１０は地震動が収まってから安全に脚１Ｌ，１Ｌ間の脱出口１３から脱出又は救出することができる。
【００１７】
なお、空気を入れて膨らませる空気膜マット２は、水を入れて膨らませる水膜マットで形成して平常時の睡眠を快適にしても良いが、その際には、非常時の地震動が襲ってきたときに放出される水の排水対策が必要である。
【００１８】
図３の排気装置３Ａは、空気膜マット２に設けた空気放出用の鍔付き円筒状のノズル４Ａと、そのノズル４Ａを閉塞する合成ゴム材等で形成した円台状の弁体５Ａと、その弁体５Ａと図示の壁１４又は床１１に取付けた鈎状金属製係止具１５とを係合した綿製等の開弁紐１６からなる開道具６Ａで形成し、大きな地震が襲ってきたときには、壁１４や床１１或はフレーム１内の空気膜マット２が他と関係無く各々独自に揺動することによって、壁１４又は床１１に係止具１５を介して係合した開弁紐１６が引っ張られ緊張してノズル４Ａから弁体５Ａを引き抜き開動し、空気膜マット２内の空気を放出するように形成している。
【００１９】
このように開弁紐１６の開道具６Ａを設けた排気装置３Ａは、構造が簡単で安価に形成できるため普及に適した構造であり、その開道具６Ａの作動は開弁紐１６の緊張度合いの調整によって行えるため、家屋の丈夫さや家具の設置状況に対応して開道具６Ａが作動する地震動の大きさをより適切に選定することができ、空気膜マット２を破壊することなく空気放出の作動テストを行うことができるのでより安全である。
【００２０】
図４に弁体５Ｂの閉塞状況を実線、開動状況を破線で示した排気装置３Ｂは、空気膜マット２に設けた空気放出用の鍔付き円筒状のノズル４Ｂと、そのノズル４Ｂを閉塞する合成ゴム材等で形成した鍔付き円台状の弁体５Ｂと、その弁体５Ｂを開動させるバネ体１７を設けた開道具６Ｂで形成し、そのバネ体１７を設けた開道具６Ｂは、伸張して弁体５Ｂを押し開けるように弁体５Ｂの鍔とノズル４Ｂの鍔との間に設けたコイル状のバネ体１７と、そのバネ体１７の伸張を抑える如く弁体５Ｂとノズル４Ｂの両鍔を両外側から挟んで設けたコ字状のストッパー１８と、そのストッパー１８を地震動の揺動によって引き抜くように上方の例えばベッドフレーム１から張りだしたサポート等に係合した吊り紐１９Ｂで吊り下げて設けた金属球等の重錘２０で形成する。
【００２１】
このバネ体１７の開道具６Ｂを設けた排気装置３Ｂは、大きな地震が襲ってきたときには、吊り紐１９Ｂで吊り下げた重錘２０が揺動して弁体５Ｂとノズル４Ｂの両鍔からストッパー１８を引き抜き、コイル状のバネ体１７が伸張して弁体５Ｂをノズル４Ｂから押し出して空気膜マット２内の空気を放出する構造としているので、その開道具６Ｂの作動は吊り紐１９Ｂの長さや重錘２０の大きさ、或は重さの調整等によって行え、家屋の丈夫さや家具の設置状況に対応して開道具６Ｂが作動する地震動の大きさをより適切に選定することができるとともに、定期的な作動点検を空気マット２を破壊することなく行うことができる。
【００２２】
図５に弁体５Ｃの閉塞状況を実線、開動状況を破線で示した排気装置３Ｃは、空気膜マット２に設けた空気放出用の円筒状のノズル４Ｃと、そのノズル４Ｃを閉塞する合成ゴム材等で形成した円板逆止弁状の弁体５Ｃと、その弁体５Ｃを先端部で押して開動するとともにその弁体５Ｃの端部に鈎状の先端部が係合してその弁体５Ｃの開動を保持するような形状の弁棒２１を上方の例えばベッドフレーム１から張りだしたサポート等に係合した吊り紐１９Ｃで吊り下げて設けた開道具６Ｃで形成し、大きな地震が襲ってきたときには、吊り紐１９Ｃで吊り下げた弁棒２１が揺動してノズル４Ｃを閉塞している弁体５Ｃを開動するとともにその開動を保持し、空気膜マット２内の空気を放出するように形成する。
【００２３】
このように弁棒２１の開道具６Ｃを設けた排気装置３Ｃは、その開道具６Ｃの作動を吊り紐１９Ｃの長さや弁棒２１の大きさの調整によって行えるため、家屋の丈夫さや家具の設置状況に対応して開道具６Ｃが作動する地震動の大きさをより適切に選定することができ、定期的な作動点検を空気マット２を破壊することなく行うことができる。
【００２４】
また、前述の開動具６Ａ，６Ｂ，６Ｃを設けた排気装置３Ａ，３Ｂ，３Ｃでは、空気膜マット２に設けた空気放出用のノズル４Ａ，４Ｂ，４Ｃを大きくしたり、取付け個数を増やせば睡眠者１０を短時間にベッドフレーム１内へ降下させることができ、ノズル４Ａ，４Ｂ，４Ｃを小さくしたり、その取付け個数を減らせばゆっくり降下させることができるので、利用者に適した降下速度を選定することができる。よって、マットレス８との組合わせを勘案して、若年者の利用には衝撃が少し大きくても素早く降下させ、老年者の利用には降下作動の開始時期を早くしてゆっくり降下させるようにより適切な降下速度を選択し、選定するように形成する。
【００２５】
図６に破線で空気膜マット２の開口状況を示した排気装置３Ｄは、空気膜マット２に衝突してその一部を破壊する図示のような鋭利な先端部を針山球状に設けた打具２２又は注射針状の鋭利な先端を有する筒体を複数組合わせて設けた打具（図示省略）を上方の例えばベッドフレーム１から張りだしたサポート等に係合した吊り紐１９Ｄで吊り下げた開口具７で形成し、大きな地震が襲ってきたときには、吊り紐１９Ｄで吊り下げた打具２２が地震動で揺動し空気膜マット２に衝突してその一部を破口又は突き刺し、空気膜マット２内の空気を破口部又は突き刺した筒体から放出するように形成する。
【００２６】
この開口具７を設けた排気装置３Ｄは、簡単な構造で安価に形成できるため普及しやすい非常時用に適す。また、この開口具７を設けた排気装置３Ｄでは、空気膜マット２を破壊する開口具７を大きくしたり、取付け個数を増やせば睡眠者１０をベッドフレーム１内へ短時間に降下させ、空気膜マット２を破壊する開口具７を小さくしたり、その取付け個数を減らせば睡眠者１０をゆっくり降下させることができるので、マットレス８との組合わせを勘案して、若年者の利用には衝撃が少し大きくても素早く降下させ、老年者の利用には降下作動の開始時期を早くしてゆっくり降下させるように、より適切な降下速度を選択して形成する。
【００２７】
【発明の効果】
叙述の通り、本発明に係る防災ベッドは、平常時は、ベッド本来の目的に快適に使用でき、かつ大きな地震が襲ってきた非常時には、排気装置で空気膜マット内の空気を放出して睡眠者をベッドのフレーム内へ降ろすため、地震で倒壊した上階や屋根、或は転倒した家具に下敷きされず安全である。
【００２８】
開動具を設けた排気装置を形成した防災ベッドは、家屋の丈夫さや家具の設置状況に対応して排気装置が作動する地震動の大きさをより適切に設定でき、更に定期的な作動点検で確実な作動が確保でき、若年者から高齢者まで幅広く、より安全に利用することができる。
【００２９】
開口具を設けた排気装置を形成した防災ベッドでは、排気装置を簡単な構造で安価に形成できるので非常時用に適した普及しやすいベッドとなる利点を有する。
【００３０】
【図面の簡単な説明】
【図１】本発明に係る防災ベッドの一実施例を示した斜視概略説明図である。
【図２】防災ベッド使用状況の一例を示す側面概略説明図である。
【図３】排気装置の一実施例を一部破断するとともに省略して示した正面概略説明図である。
【図４】バネ体の開動具を設けた排気装置の一実施例を一部省略して示した断面概略説明図である。
【図５】弁棒の開動具を設けた排気装置の一実施例を一部省略して示した断面概略説明図である。
【図６】開口具を設けた排気装置の実施例を一部省略して示した断面概略説明図である。
【符号の説明】
１  ベッドのフレーム    １Ｕ  上面    １Ｌ  脚    １Ｓ  斜材
２  空気膜マット
３，３Ａ，３Ｂ，３Ｃ，３Ｄ  排気装置
４，４Ａ，４Ｂ，４Ｃ  ノズル
５，５Ａ，５Ｂ，５Ｃ  弁体
６，６Ａ，６Ｂ，６Ｃ  開道具
７  開口具
８  マットレス
９  布団
１０  睡眠者
１１  床
１２  給気口
１３  脱出口
１４  壁
１５  係止具
１６  開弁紐
１７  バネ体
１８  ストッパー
１９，１９Ｂ，１９Ｃ，１９Ｄ  吊り紐
２０  重錘
２１  弁棒
２２  打具
【図１】
0003605777.tif 000002
【図２】
0003605777.tif 000003
【図３】
0003605777.tif 000004
【図４】
0003605777.tif 000005
【図５】
0003605777.tif 000006
【図６】
0003605777.tif 000007